(57)【要約】【課題】表示切替時に不具合を起こしていたモードを解消することが可能な表示装置およびそれ用いた電子機器を提供する。【解決手段】垂直駆動回路１２０のＣＳラッチ１２２は、画質不具合防止のため、画素電極に付加電位の逆極性を、付加電位を与える前の期間に、付加電位ラインに適正な電圧を加えることができる電位とする処理機能を有する。【選択図】図６
2008129284.tif 000002
【特許請求の範囲】
【請求項１】
画素がマトリクス状に配置された表示部と、
上記表示部の各画素を行単位で選択し、上記画素の画素電極にカップリングを用いて付加的な電位を与える駆動回路と、を有し、
上記駆動回路は、
画素電極に付加電位の逆極性を、付加電位を与える前の期間に、付加電位ラインに適正な電圧を加えることができる電位とする処理機能を有する
表示装置。
【請求項２】
画素のマトリクス配列に応じて配線された走査線と付加電位ラインとしての補助線と、
信号線と、を有し、
上記画素は、
画素セルと、
上記信号線と上記画素セルの画素電極とを上記走査線のレベルに応じて選択的に接続するスイッチング素子と、
一方の電極が上記画素電極に接続され、他方の電極が対応する上記補助線に接続され、
上記駆動回路は、
上記走査線と上記補助線に所定タイミングで所定のパルスを印加する
請求項１記載の表示装置。
【請求項３】
上記駆動回路は、
第１パルスおよび第２パルスを生成する機能を有するスキャナ部と、
上記第２パルスのタイミングで極性パルスをラッチするラッチと、上記第１パルスのタイミングで上記極性パルスをレベル反転させて上記ラッチに入力可能な反転転送部と、を含むラッチ部と、を有する
請求項２記載の表示装置。
【請求項４】
上記駆動回路は、
第１パルスおよび第２パルスを生成する機能を有するスキャナ部と、
上記第１パルスのタイミングで極性パルスをラッチする第１ラッチと、第２パルスのタイミングで上記第１ラッチのラッチ信号をラッチする第２ラッチと、上記第１パルスのタイミングで上記第１ラッチのラッチ信号をレベル反転させて上記第２ラッチに入力可能な反転転送部と、を含むラッチ部と、を有する
請求項３記載の表示装置。
【請求項５】
上記スキャナは、表示切替時にリセットされてスキャン動作をやりなおす機能を有する
請求項３記載の表示装置。
【請求項６】
上記ラッチ部は、リセットがかかった場合、上記補助線を所定目的の電位に充電する
請求項５記載の表示装置。
【請求項７】
表示装置を備えた電子機器であって、
上記表示装置は、
画素がマトリクス状に配置された表示部と、
上記表示部の各画素を行単位で選択し、上記画素の画素電極にカップリングを用いて付加的な電位を与える垂動回路と、を有し、
上記駆動回路は、
画素電極に付加電位の逆極性を、付加電位を与える前の期間に、付加電位ラインに適正な電圧を加えることができる電位とする処理機能を有する
電子機器。
【請求項８】
画素のマトリクス配列に応じて配線された走査線と付加電位ラインとしての補助線と、
信号線と、を有し、
上記画素は、
画素セルと、
上記信号線と上記画素セルの画素電極とを上記走査線のレベルに応じて選択的に接続するスイッチング素子と、
一方の電極が上記画素電極に接続され、他方の電極が対応する上記補助線に接続され、
上記駆動回路は、
上記走査線と上記補助線に所定タイミングで所定のパルスを印加する
請求項７記載の電子機器。
【請求項９】
上記駆動回路は、
第１パルスおよび第２パルスを生成する機能を有するスキャナ部と、
上記第２パルスのタイミングで極性パルスをラッチするラッチと、上記第１パルスのタイミングで上記極性パルスをレベル反転させて上記ラッチに入力可能な反転転送部と、を含むラッチ部と、を有する
請求項８記載の電子機器。
【請求項１０】
上記駆動回路は、
第１パルスおよび第２パルスを生成する機能を有するスキャナ部と、
上記第１パルスのタイミングで極性パルスをラッチする第１ラッチと、第２パルスのタイミングで上記第１ラッチのラッチ信号をラッチする第２ラッチと、上記第１パルスのタイミングで上記第１ラッチのラッチ信号をレベル反転させて上記第２ラッチに入力可能な反転転送部と、を含むラッチ部と、を有する
請求項９記載の電子機器。
【請求項１１】
上記スキャナは、表示切替時にリセットされてスキャン動作をやりなおす機能を有する
請求項９記載の電子機器。
【請求項１２】
上記ラッチ部は、リセットがかかった場合、上記補助線を所定目的の電位に充電する
請求項１１記載の電子機器。
【発明の詳細な説明】
【技術分野】
【０００１】
本発明は、液晶表示装置等のアクティブマトリクス型表示装置およびそれを用いた電子機器に関するものである。
【背景技術】
【０００２】
近年、携帯電話機やＰＤＡ(Personal Digital Assistants)などの携帯端末の普及がめざましい。これら携帯端末の急速な普及の要因の一つとして、その出力表示部として搭載されている液晶表示装置が挙げられる。その理由は、液晶表示装置が原理的に駆動するための電力を要しない特性を持ち、低消費電力の表示デバイスであるためである。
【０００３】
図１は、一般的な液晶表示装置の構成例を示すブロック図である。
【０００４】
液晶表示装置１は、図１に示すように、有効表示領域部２、垂直駆動回路（ＶＤＲＶ）３、および水平駆動回路（ＨＤＲＶ）４を有している。
【０００５】
有効表示領域部２は、複数の画素部２ＰＸＬが、マトリクス状に配列されている。
各画素部２ＰＸＬは、スイッチング素子として薄膜トランジスタ（ＴＦＴ；thin film transistor）２１と、ＴＦＴ２１のドレイン電極（またはソース電極）に画素電極が接続された液晶セルＬＣ２２と、ＴＦＴ２１のドレイン電極に一方の電極が接続された保持容量ＣＳ２１により構成されている。
これら画素部２１の各々に対して、走査線５−１〜５−ｍおよび保持容量配線（ＣＳライン）６−１〜６−ｍが各行ごとにその画素配列方向に沿って配線され、信号線７−１〜７−ｎが各列ごとにその画素配列方向に沿って配線されている。
【０００６】
そして、各画素部２ＰＸＬのＴＦＴ２１のゲート電極は、各行単位で同一の走査線（ゲート線）５−１〜５−ｍにそれぞれ接続されている。また、各画素部２ＰＸＬのソース電極（または、ドレイン電極）は、各列単位で同一の信号線７−１〜７−ｎに各々接続されている。
さらに、一般的な液晶表示装置においては、各画素部２ＰＸＬの保持容量ＣＳ２１の一電極（接続電極に対向する電極）は、各行単位で同一の保持容量配線６−１〜６−ｍにそれぞれ接続されている。
【０００７】
各走査線５−１〜５−ｍおよび各保持容量配線６−１〜６−ｍは、垂直駆動回路３により駆動され、各信号線７−１〜７−ｎは水平駆動回路４により駆動される。
【０００８】
垂直駆動回路３は、各走査線５−１〜５−ｍおよび各保持容量配線６−１〜６−ｍに対応して画素配列の各行単位でスキャナ（シフトレジスタ）３１、ＣＳラッチ３２、およびゲートバッファ３３が直列に接続され配置されている。
【０００９】
このような構成を有する液晶表示装置１は、画素部２ＰＸＬの画素電極２２にカップリングを用いて付加的な電位を与える駆動方法が採用される。
【００１０】
垂直駆動回路３においては、所定あるパルスをスキャナ（シフトレジスタ）３１でスキャンし、ＧＶおよびＣＶパルスを生成する。
そして、ＣＳラッチにおいて、ＧＶおよびＧＳパルスを用いてＦＲＰパルスの極性を検知し、画素電極２２にカップリングさせるためのＣＳｏｕｔパルスを生成する。
このとき、同時に画素部２ＰＸＬのＴＦＴ２１をオンするための信号Ｖｏｕｔを生成する。
最後にゲートバッファ３３でパルス整形を行なってそれぞれゲートライン５−１〜５−ｍとＣＳライン６−１〜６−ｍに出力する。
【発明の開示】
【発明が解決しようとする課題】
【００１１】
しかしながら、上述した一般的な液晶表示装置においては、上下反転、１Ｈ反転１Ｆ反転切り替え、オンオフシーケンス、外部Ｖｓｙｎｃモード（ＥｘｔｅｒｎａｌＶｓｙｎｃモード）などの表示切替時に、カップリング動作が正常に行えないため、画素電極が目的の電位まで到達せず、表示に異常を起こしていた。
そのため、あらゆるパルス制御を行なって現在まで問題を回避してきたが、１Ｈ反転１Ｆ反転切り替えとＥｘｔｅｒｎａｌＶｓｙｎｃモードは未解決のままであった。
また、パルス制御を行なうことによって、回路が増大し、レイアウト面積が大きくなっていることも問題であった。
【００１２】
以下に、表示切替時、特にＥｘｔｅｒｎａｌＶｓｙｎｃモード時に、カップリング動作が正常に行なえないという問題についてさらに詳細に説明する。
【００１３】
図２は、一般的な液晶表示装置におけるＣＳラッチ３２の構成例を示す図である。
図３は、図２の通常動作時のタイミングチャートである。
【００１４】
図２のＣＳラッチ３２は、スイッチ３４，３５、ラッチ（ＲＡＭ）３６，３７、およびインバータ３８を有する。
【００１５】
この構成においては、ＦＲＰパルスをＧＶパルスのハイレベルのタイミングでスイッチ３４がオンしてラッチ（ＲＡＭ）３６に格納する。
その後、ＣＶパルスのハイレベルのタイミングでスイッチ３５がオンして、ラッチ３６に格納した信号電位を次段のラッチ（ＲＡＭ）３７に格納し、インバータ３８を通してＣＳｏｕｔとして出力する。
通常駆動の場合は画質的にも問題ない動作を行う。
【００１６】
図４は、表示切替時、特にＥｘｔｅｒｎａｌＶｓｙｎｃモード時に、カップリング動作が正常に行なえないという問題が発生することを説明するためのタイミングチャートである。
【００１７】
図４に示すように、外部より正規のタイミングではないタイミングＴ１で垂直同期信号Ｖｓｙｎｃが突然入力されとき、その垂直同期信号Ｖｓｙｎｃが有効になったとき、表示を保持するためにスキャナ（シフトレジスタ）３１がリセットされ、画素電極２２の電位を保持する動作に移る。
また、スキャナ（シフトレジスタ）３１は、図中Ｔ２で示すようにもう一度最初の段からスキャンする動作を行う。このとき、保持していた画素電極２２に関連して繋がっているＣＳライン６には図中Ｔ３で示すようにカップリングを行わないようになる。
これは、ＦＲＰパルスの極性が垂直同期信号Ｖｓｙｎｃが突然入力されたことにより反転してしまうからである。
この動作が表示領域に一瞬ノイズがでるような不具合を起こし、このモードを禁止としていた。
【００１８】
本発明は、表示切替時に不具合を起こしていたモードを解消することが可能な表示装置およびそれ用いた電子機器を提供することにある。
【課題を解決するための手段】
【００１９】
本発明の第１の観点の表示装置は、画素がマトリクス状に配置された表示部と、上記表示部の各画素を行単位で選択し、上記画素の画素電極にカップリングを用いて付加的な電位を与える駆動回路と、を有し、上記駆動回路は、画素電極に付加電位の逆極性を、付加電位を与える前の期間に、付加電位ラインに適正な電圧を加えることができる電位とする処理機能を有する。
【００２０】
本発明の第２の観点は、表示装置を備えた電子機器であって、上記表示装置は、画素がマトリクス状に配置された表示部と、上記表示部の各画素を行単位で選択し、上記画素の画素電極にカップリングを用いて付加的な電位を与える駆動回路と、を有し、上記駆動回路は、画素電極に付加電位の逆極性を、付加電位を与える前の期間に、付加電位ラインに適正な電圧を加えることができる電位とする処理機能を有する。
【００２１】
本発明によれば、画素の画素電極にカップリングを用いて付加的な電位を与える場合に、画素電極に付加電位の逆極性を、付加電位を与える前の期間に、付加電位ラインに適正な電圧として印加する。
【発明の効果】
【００２２】
本発明によれば、表示切替時に不具合を起こしていたモードを解消することができる利点がある。
【発明を実施するための最良の形態】
【００２３】
以下、本発明の実施の形態について図面に関連付けて詳細に説明する。
【００２４】
図５は、本発明の実施形態に係る液晶表示装置の構成例を示すブロック図である。
【００２５】
液晶表示装置１００は、図５に示すように、有効表示領域部１１０、垂直駆動回路（ＶＤＲＶ）１２０、および水平駆動回路（ＨＤＲＶ）１３０を有している。
【００２６】
有効表示領域部１１０は、複数の画素部１１０ＰＸＬが、マトリクス状に配列されている。
各画素部１１０ＰＸＬは、スイッチング素子として薄膜トランジスタ（ＴＦＴ；thin film transistor）１１１と、ＴＦＴ１１１のドレイン電極（またはソース電極）に画素電極１１２が接続された液晶セルＬＣ１１１と、ＴＦＴ１１１のドレイン電極に一方の電極が接続された保持容量ＣＳ１１１により構成されている。
これら画素部２１の各々に対して、走査線１４１−１〜１４１−ｍおよび付加電位ラインとしての補助線である保持容量配線（ＣＳライン）１４２−１〜１４２−ｍが各行ごとにその画素配列方向に沿って配線され、信号線１４３−１〜１４３−ｎが各列ごとにその画素配列方向に沿って配線されている。
【００２７】
そして、各画素部１１０ＰＸＬのＴＦＴ１１１のゲート電極は、各行単位で同一の走査線（ゲートライン）１４１−１〜１４１−ｍにそれぞれ接続されている。また、各画素部１１０ＰＸＬのソース電極（または、ドレイン電極）は、各列単位で同一の信号線１４３−１〜１４３−ｎに各々接続されている。
さらに、液晶表示装置１００においては、各画素部１１０ＰＸＬの保持容量ＣＳ１１１の一電極（接続電極に対向する電極）は、各行単位で同一の保持容量配線１４２−１〜１４２−ｍにそれぞれ接続されている。
【００２８】
各走査線１４１−１〜１４１−ｍおよび各保持容量配線１４２−１〜１４２−ｍは、垂直駆動回路１２０により駆動され、各信号線１４３−１〜１４３−ｎは水平駆動回路１３０により駆動される。
【００２９】
垂直駆動回路１２０は、各走査線１４１−１〜１４１−ｍおよび各保持容量配線１４２−１〜１４２−ｍに対応して画素配列の各行単位でスキャナ部（シフトレジスタ）１２１、ＣＳラッチ部１２２、およびゲートバッファ部１２３が直列に接続され配置されている。
【００３０】
このような構成を有する液晶表示装置１００は、画素部１１０ＰＸＬの画素電極１１２にカップリングを用いて付加的な電位を与える駆動方法が採用され、垂直駆動回路１２０はある機能切り替え瞬間時の画質乱れを防ぐ機能を有している。
以下、この垂直駆動回路１２０の構成および機能を中心に説明する。
【００３１】
垂直駆動回路１２０においては、所定あるパルスをスキャナ部（シフトレジスタ）１２１でスキャンし、第１パルスであるＧＶパルスおよび第２パルスであるＣＶパルスを生成する。
そして、ＣＳラッチ部１２２において、ＧＶおよびＧＳパルスを用いてＦＲＰパルスの極性を検知し、画素電極１１２にカップリングさせるためのＣＳｏｕｔパルスを生成する。
このとき、同時に画素部１１０ＰＸＬのＴＦＴ１１１をオンするための信号Ｖｏｕｔを生成する。
最後にゲートバッファ部１２３でパルス整形を行なってそれぞれゲートライン１４１−１〜１４１−ｍと保持容量配線（ＣＳライン）１４２−１〜１４２−ｍに出力する。
【００３２】
そして、本実施形態に係る垂直駆動回路１２０のＣＳラッチ１２２は、画質不具合防止のため、画素電極に付加電位の逆極性を、付加電位を与える前の期間に、付加電位ラインに適正な電圧を加えることができる電位とする処理機能を有する。
【００３３】
図６は、本実施形態に係る垂直駆動回路におけるＣＳラッチの構成例を示す図である。
【００３４】
ＣＳラッチ部１２０は、図６に示すように、スイッチ１２２１，１２２２，１２２３、ラッチ（ＲＡＭ）１２２４，１２２５、およびインバータ１２２６，１１２７を有している。
そして、インバータ１２２６およびスイッチ１２２３により反転転送部１２２８が構成されている。
【００３５】
スイッチ１２２１は、固定接点ａがＦＲＰパルスの供給ラインに接続され、作動接点ｂがラッチ１２２４の入力に接続されている。
スイッチ１２２１は、スキャナ部１２１で生成されたＧＶパルスがハイレベルのときにオンし、ＦＲＰパルスをラッチ１２２４に入力させる。
【００３６】
スイッチ１２２２は、固定接点ａがラッチ１２２４の出力に接続され、作動接点ｂがラッチ１２２５の入力に接続されている。
スイッチ１２２２は、スキャナ部１２１で生成されたＣＶパルスがハイレベルのときにオンし、ラッチ１２２４にラッチされたＦＲＰパルスをラッチ１２２５に入力させる。
【００３７】
スイッチ１２２３は、固定接点ａがインバータ１２２６の出力に接続され、作動接点ｂがラッチ１２２５の入力に接続されている。
スイッチ１２２３は、スキャナ部１２１で生成されたＧＶパルスがハイレベルのときにオンし、ラッチ１２２４にラッチされ、インバータ１２２６で反転されたＦＲＰパルスをラッチ１２２５に入力させる。
【００３８】
ラッチ１２２４は、インバータＩＮＶ１，ＩＮＶ２の入出力同士を接続して構成され、インバータＩＮＶ１の入力とインバータＩＮＶ２の出力の接続点により入力ノードＮＤ１が形成され、インバータＩＮＶ１の出力とインバータＩＮＶ２の入力の接続点により出力ノードＮＤ２が形成されている。
そして、入力ＮＤ１がスイッチ１２２１の作動接点ｂに接続され、出力ノードＮＤ２がスイッチ１２２２の固定接点ａおよびインバータ１２２６の入力に接続されている。
【００３９】
ラッチ１２２５は、インバータＩＮＶ３，ＩＮＶ４の入出力同士を接続して構成され、インバータＩＮＶ３の入力とインバータＩＮＶ４の出力の接続点により入力ノードＮＤ３が形成され、インバータＩＮＶ３の出力とインバータＩＮＶ４の入力の接続点により出力ノードＮＤ４が形成されている。
そして、入力ＮＤ３がスイッチ１２２２および１２２３の作動接点ｂに接続され、出力ノードＮＤ４がインバータＩＮＶ１２２７の入力に接続されている。
【００４０】
インバータ１２２６は、入力がラッチ１２２４の出力ノードＮＤ２に接続され、出力がスイッチ１２２３の固定接点ａに接続されている。
インバータ１２２６は、ラッチ１２２４にラッチされたＦＲＰパルスのレベルを反転させてスイッチ１２２３に出力する。
【００４１】
インバータ１２２７は、ラッチ１２２５にラッチされたパルスをレベル反転させてゲートバッファ部１２３に出力する。
【００４２】
次に、上記構成による動作を図７および図８に関連付けて説明する。
図７は、図６の通常動作時のタイミングチャートである。
図８は、表示切替時、特にＥｘｔｅｒｎａｌＶｓｙｎｃモード時の動作を説明するためのタイミングチャートである。
【００４３】
通常動作時においては、ＧＶパルスのハイレベルのタイミングでスイッチ１２２１がオンして、ＦＲＰパルスがラッチ（ＲＡＭ）１２２４に格納される。
ラッチ１２２５に格納されたＦＲＰパルスは、インバータ１２２６で反転される。このとき、スイッチ１２２３もオンしていることから、インバータ１２２６の反転信号は１２２５にラッチされ、インバータ１２２７を通して逆極性で一旦出力される。
その後、ＣＶパルスのハイレベルのタイミングでスイッチ１２２２がオンして、ラッチ１２２４に格納した信号電位が次段のラッチ（ＲＡＭ）１２２５に格納され、インバータ３８を通してＣＳｏｕｔとして出力される。
通常駆動の場合は画質的にも問題ない動作を行う。
【００４４】
ここで、たとえば図８に示すように、外部より正規のタイミングではないタイミングＴ１１で垂直同期信号Ｖｓｙｎｃが突然入力されとき、その垂直同期信号Ｖｓｙｎｃが有効になったとき、表示を保持するためにスキャナ部（シフトレジスタ）１２１がリセットされ、画素電極１１２の電位を保持する動作に移る。
また、スキャナ部（シフトレジスタ）１２１は、図中Ｔ１２で示すようにもう一度最初の段からスキャンする動作を行う。
次のフレームでは、ゲートパルスと同タイミングＴ１３でカップリング極性とは逆極性電位でがＣＳラインに充電される。
すなわち、ＣＳラッチ部１２２において、ＧＶパルスのハイレベルのタイミングでスイッチ１２２１がオンして、ＦＲＰパルスがラッチ（ＲＡＭ）１２２４に格納される。
ラッチ１２２５に格納されたＦＲＰパルスは、インバータ１２２６で反転される。このとき、スイッチ１２２３もオンしていることから、インバータ１２２６の反転信号は１２２５にラッチされる。
これにより、インバータ１２２７を通してＣＳライン１４２（−１〜−ｍ）に逆極性の信号電位が出力され、逆極性で充電される。
その後、ＣＶパルスのハイレベルのタイミングでスイッチ１２２２がオンして、ラッチ１２２４に格納した信号電位が次段のラッチ（ＲＡＭ）１２２５に格納され、インバータ１２２７を通してＣＳｏｕｔとして出力され、正常なカップリングが行われる。
【００４５】
すなわち、ＥｘｔｅｒｎａｌＶｓｙｎｃモード時においても、目的のタイミングＴ１４でカップリングすることができる。
【００４６】
なお、ここではＥｘｔｅｒｎａｌＶｓｙｎｃモードでの不具合解消を例として採り上げたが、今までカップリング動作で不具合を起こしていたモードはすべて解消されることになった。
【００４７】
以上説明したように、本実施形態によれば、垂直駆動回路１２０のＣＳラッチ１２２は、画質不具合防止のため、画素電極に付加電位の逆極性を、付加電位を与える前の期間に、付加電位ラインを適正な電圧を加えることができる電位とする処理機能を有することから、以下の効果を得ることができる。
すなわち、上下反転、１Ｈ反転１Ｆ反転切り替え、オンオフシーケンス、外部Ｖｓｙｎｃモード（ＥｘｔｅｒｎａｌＶｓｙｎｃモード）などの表示切替時に、カップリング動作が正常に行え、画素電極が目的の電位まで到達することから、表示に異常が起きることを防止できる。
したがって、表示切替時(上下反転、１Ｈ反転１Ｆ反転切り替え、オンオフ
シーケンス、ＥｘｔｅｒｎａｌＶｓｙｎｃモードなど)にライン一括プリチャージや、カップリング極性反転などの駆動装置が削除でき、システムの簡略化を実現することができる。
システムの簡略化を行なえることによって、狭額縁化を実現することができる。
また、現段階まで表示切替時に不具合を起こしていたモードを解消することができる。
【００４８】
なお、上記実施形態では、アクティブマトリクス型液晶表示装置に適用した場合を例に採って説明したが、これに限定されるものではなく、エレクトロルミネッセンス（ＥＬ）素子を各画素の電気光学素子として用いたＥＬ表示装置などの他のアクティブマトリクス型表示装置にも同様に適用可能である。
【００４９】
またさらに、上記実施形態に係るアクティブマトリクス型液晶表示装置に代表されるアクティブマトリクス型表示装置は、パーソナルコンピュータ、ワードプロセッサ等のＯＡ機器やテレビジョン受像機などのディスプレイとして用いられる外、特に装置本体の小型化、コンパクト化が進められている携帯電話機やＰＤＡなどの電子機器の表示部として用いて好適なものである。
【００５０】
すなわち、本実施形態における表示装置１００は、図９（ａ）〜（ｇ）に示す様々な電子機器、たとえば、デジタルカメラ、ノート型パーソナルコンピュータ、携帯電話、ビデオカメラなど、電子機器に入力された、若しくは、電子機器内で生成した映像信号を、画像若しくは映像として表示するあらゆる分野の電子機器の表示装置に適用することが可能である。
【００５１】
なお、本発明の実施形態に係る表示装置は、図１０に開示したような、封止された構成のモジュール形状のものをも含む。
たとえば、画素アレイ部（有効表示領域）１５００を囲むようにシーリング部１５１が設けられ、このシーリング部を１５１接着剤として透明な、ガラス等の対向部１５２に貼り付けられ形成された表示モジュールが該当する。
この透明な対向部１５２には、カラーフィルタ、保護膜、遮光膜等が設けられてもよい。なお、表示モジュールには、外部から画素アレイ部への信号等を入出力するためのＦＰＣ（フレキシブルプリントサーキット）１５３が設けられていてもよい。
以下、この様な表示装置が適用された電子機器の例を示す。
【００５２】
図９（ａ）は本発明が適用されたテレビジョン２００の一例を示す。このテレビジョン２００は、フロントパネル２０１、フィルターガラス２０２等から構成される映像表示画面２０３を含み、本発明の実施形態に係る表示装置をその映像表示画面２０３に用いることにより作製される。
【００５３】
図９（ｂ），（ｃ）は本発明が適用されたデジタルカメラ２１０の一例を示す。デジタルカメラ２１０は、撮像レンズ２１１、フラッシュ用の発光部２１２、表示部２１３、コントロールスイッチ２１４等を含み、本発明の実施形態に係る表示装置をその表示部２１３に用いることにより作製される。
【００５４】
図９（ｄ）は本発明が適用されたビデオカメラ２２０を示す。ビデオカメラ２２０は、本体部２２１、前方を向いた側面に被写体撮影用のレンズ２２２、撮影時のスタート／ストップスイッチ２２３、表示部２２４等を含み、本発明の実施形態に係る表示装置をその表示部２２４に用いることにより作製される。
【００５５】
図９（ｅ），（ｆ）は本発明が適用された携帯端末装置２３０を示す。携帯端末装置２３０は、上側筐体２３１、下側筐体２３２、連結部（ここではヒンジ部）２３３、ディスプレイ２３４、サブディスプレイ２３５、ピクチャーライト２３６、カメラ２３７等を含み、本発明の実施形態に係る表示装置をそのディスプレイ２３４やサブディスプレイ２３５に用いることにより作製される。
【００５６】
図９（ｇ）は本発明が適用されたノート型パーソナルコンピュータ２４０を示す。ノート型パーソナルコンピュータ２４０は、本体２４１に、文字等を入力するとき操作されるキーボード２４２、画像を表示する表示部２４３等を含み、本発明の実施形態に係る表示装置をその表示部２４３に用いることにより作製される。
【図面の簡単な説明】
【００５７】
【図１】一般的な液晶表示装置の構成例を示すブロック図である。
【図２】一般的な液晶表示装置におけるＣＳラッチの構成例を示す図である。
【図３】図２の通常動作時のタイミングチャートである。
【図４】表示切替時、特にＥｘｔｅｒｎａｌＶｓｙｎｃモード時に、カップリング動作が正常に行えないという問題が発生することを説明するためのタイミングチャートである。
【図５】本発明の実施形態に係る液晶表示装置の構成例を示すブロック図である。
【図６】本実施形態に係る垂直駆動回路におけるＣＳラッチの構成例を示す図である。
【図７】図６の通常動作時のタイミングチャートである。
【図８】表示切替時、特にＥｘｔｅｒｎａｌＶｓｙｎｃモード時の動作を説明するためのタイミングチャートである。
【図９】本発明の実施形態に係る表示装置が適用される電子機器の例を示す図である。
【図１０】本発明の実施形態に係る表示装置は、封止された構成のモジュール形状のものをも含むことを説明するための図である。
【符号の説明】
【００５８】
１００・・・液晶表示装置、１１０・・・有効表示領域部、１１０ＰＸＬ・・・画素部、１１１・・・ＴＦＴ、ＬＣ１１１・・・液晶セル、ＣＳ１１１・・・保持容量、１２０・・・垂直駆動回路（ＶＤＲＶ）、１２１・・・スキャナ部、１２２・・・ＣＳラッチ部、１２２１，１２２２，１２２３・・・スイッチ、１２２４，１２２５・・・ラッチ（ＲＡＭ）、１２２６，１１２７・・・インバータ、１２２８・・・反転転送部、１２３・・・ゲートバッファ部、１３０・・・水平駆動回路（ＨＤＲＶ）、１４１−１〜１４１−ｍ・・・走査線、１４２−１〜１４２−ｍ・・・保持容量配線（ＣＳライン）１４２−１〜１４２−ｍ、１４３−１〜１４３−ｎ・・・信号線、２００・・・テレビジョン、２１０・・・デジタルカメラ、２２０・・・ビデオカメラ、２３０・・・携帯端末装置、２４０・・・ノート型パーソナルコンピュータ。
【図１】
2008129284.tif 000003
【図２】
2008129284.tif 000004
【図３】
2008129284.tif 000005
【図４】
2008129284.tif 000006
【図５】
2008129284.tif 000007
【図６】
2008129284.tif 000008
【図７】
2008129284.tif 000009
【図８】
2008129284.tif 000010
【図９】
2008129284.tif 000011
【図１０】
2008129284.tif 000012